(57)【要約】      （修正有）【課題】エクササイズメディシンボールの構造を提供する。【解決手段】エクササイズメディシンボール２０は、インフレータブルボールライナーの外側に生ゴムを貼り付け、少なくとも一つのグリップカバーリング２２の当該形状に基づき生ゴムを貼り付け、両者の接触面を粘着剤で結合したあと、金型の中に入れて加硫成形し、弾力性をもたせ、形成したグリップ２１の内部にグリップカバーリング２２を具有して、特にグリップ応力を強化した構造で、作用する力の影響により、グリップ２１周囲に亀裂が生じるのを避けることができ、よりユーザーが操作する際の安全性及び、球体の耐用性を高める。【選択図】図５
0003184392.tif 000002
【実用新案登録請求の範囲】
【請求項１】
メディシンボール及びグリップカバーリングを含み、
主にインフレータブルボールライナーの外側に生ゴムを貼り付け、更に少なくとも一つのグリップカバーリングの当該形状に基づき生ゴムを貼り付け、両者の接触面を粘着剤で結合したあと、金型の中に入れて加硫成形し、弾力性をもたせ、形成したグリップの内部にグリップカバーリングを具有することを特徴とするエクササイズメディシンボールの構造。
【考案の詳細な説明】
【技術分野】
【０００１】
本考案はエクササイズメディシンボールの構造に関し、特にグリップの応力を強化する改良構造を指し、作用する力の影響を受けてグリップ回りが亀裂する状況が発生するのを避けることができ、更にユーザーが安全に操作でき、ボールの耐用性を高めるエクササイズメディシンボールの構造に関する。
【背景技術】
【０００２】
図１及び図２に示すように、主に従来技術のダブルグリップメディシンボール１０のインフレータブルボールライナーの外側に生ゴムを貼り付け、更に少なくとも一つのサポート１２をグリップ１１に設置し、且つ当該形状に基づき生ゴムを貼り付けることで、全体の重さを約６ポンドから２０ポンドに設定し、更に両者の接触面を粘着剤で結合したあと、金型の中に入れて加硫成形し、弾力性をもたせる。
【０００３】
前記の従来技術のダブルグリップメディシンボール１０のグリップ１１部分は、外力により亀裂が生じやすく、更には酸化すると断裂する。特に該グリップ１１は引っ張る力(振る力)の負荷に耐えることができないことを鑑みて、更なる改善が必要であった。
【先行技術文献】
【特許文献】
【０００４】
【特許文献１】実用新案登録第３１５９０２１号公報
【考案の概要】
【考案が解決しようとする課題】
【０００５】
本考案は、前記公知構造の欠点を解決するために、従来技術のグリップ付きエクササイズメディシンボールのグリップを、更に引っ張る力(振る力)及びその他の作用する力に耐えられるものにし、グリップ周りに亀裂が生じるのを避けられるエクササイズメディシンボールの構造を提供することを主な課題とする。
【課題を解決するための手段】
【０００６】
前記の目的を解決するために、本考案はエクササイズメディシンボールの構造を提供するものである。主にインフレータブルボールライナーの外側に生ゴムを貼り付け、更に少なくとも一つのグリップカバーリングの当該形状に基づき生ゴムを貼り付け、両者の接触面を粘着剤で結合したあと、金型の中に入れて加硫成形し、弾力性をもたせ、形成したグリップの内部にグリップカバーリングの構造を具有する。
【考案の効果】
【０００７】
本考案は、グリップカバーリングの設置により、グリップ応力を強化し、作用する力の影響により、グリップ周囲に亀裂が生じるのを避けることができ、よりユーザーが操作する際の安全性及び、球体の耐用性を高める。
【図面の簡単な説明】
【０００８】
【図１】従来技術のエクササイズメディシンボールの略図である。
【図２】図１の断面図である。
【図３】図１の使用後の欠点の略図である。
【図４】本考案におけるグリップカバーリングの略図である。
【図５】本考案の断面図である。
【図６】本考案の別の実施例の略図である。
【考案を実施するための形態】
【実施例１】
【０００９】
本考案のエクササイズメディシンボールの実施例を、図面に沿って説明する。
【００１０】
図５に示すのは本考案のエクササイズメディシンボールの第一実施例の断面図である。図に示すように、主にインフレータブルボールライナーの外側に生ゴムを貼り付け、更に図４に示すような少なくとも一つのグリップカバーリング２２の当該形状に基づき生ゴムを貼り付けることで、全体の重さを約６ポンドから２０ポンドに設定し、更に両者の接触面を粘着剤で結合したあと、金型の中に入れて加硫成形し、弾力性をもたせる。
【００１１】
本考案の実施例の前記エクササイズメディシンボールを球体に成型する前に、貼り付けるゴムの内部に少なくとも一つのグリップカバーリング２２を設け(図４を参照)、該グリップカバーリング２２はダブルグリップメディシンボール２０或いはシングルメディシンボール３０(図６を参照)のグリップ２１、３１(図６を参照)の引っ張る力及び衝突の圧力を強化し、従来技術のエクササイズメディシンボールのダブルグリップメディシンボール１０がグリップ１１の部分に亀裂１３が生じる状況を避けることができる。
【実施例２】
【００１２】
図６に示すのは、本考案のエクササイズメディシンボールの第二実施例の略図である。図に示すように、シングルグリップカバーリング２２(図４を参照)を使ったシングルグリップメディシンボール３０は僅か一つのグリップ３１を具有し、主にユーザーが操作する際のニーズに基づき選択することができる。同じく引っ張る力(振る力)及び圧力を克服することができ、従来技術のグリップ１１部分に亀裂１３が生じるのを避けることができる。
【００１３】
本考案の各実施例のエクササイズメディシンボールによれば、インフレータブルボールライナーの外側に生ゴムを貼り付け、グリップカバーリングの当該形状に基づき生ゴムを貼り付け、両者の接触面を粘着剤で結合したあと、金型の中に入れて加硫成形し、弾力性をもたせ、形成したグリップの内部にグリップカバーリングを設置したことにより、グリップ応力を強化し、作用する力の影響により、グリップ周囲に亀裂が生じるのを避けることができ、よりユーザーが操作する際の安全性及び、球体の耐用性を高めることができる。
【符号の説明】
【００１４】
１０  ダブルグリップメディシンボール
１１  グリップ
１２  サポート
１３  亀裂
２０  ダブルグリップメディシンボール
２１  グリップ
２２  グリップカバーリング
３０  シングルグリップメディシンボール
３１  グリップ
【図１】
0003184392.tif 000003
【図２】
0003184392.tif 000004
【図３】
0003184392.tif 000005
【図４】
0003184392.tif 000006
【図５】
0003184392.tif 000007
【図６】
0003184392.tif 000008
【手続補正書】
【提出日】平成25年4月15日(2013.4.15)
【手続補正１】
【補正対象書類名】実用新案登録請求の範囲
【補正対象項目名】全文
【補正方法】変更
【補正の内容】
【実用新案登録請求の範囲】
【請求項１】
メディシンボール及びグリップカバーリングを含み、
主にインフレータブルボールライナーの外側に生ゴムを貼り付け、更に少なくとも一つのグリップカバーリングの当該形状に基づき生ゴムを貼り付け、両者の接触面を粘着剤で結合したあと、金型の中に入れて加硫成形し、弾力性をもたせ、形成したグリップ部分の内部にグリップを囲むようにグリップカバーリングを埋め込んだことを特徴とするエクササイズメディシンボールの構造。
【手続補正２】
【補正対象書類名】明細書
【補正対象項目名】００１０
【補正方法】変更
【補正の内容】
【００１０】
図５に示すのは本考案のエクササイズメディシンボールの第一実施例の断面図である。図に示すように、主にインフレータブルボールライナーの外側に生ゴムを貼り付け、更に図４に示すような少なくとも一つのグリップカバーリング２２の当該形状に基づき生ゴムを貼り付けることで、全体の重さを約６ポンドから２０ポンドに設定し、更に両者の接触面を粘着剤で結合したあと、金型の中に入れて加硫成形し、弾力性をもたせる。
すなわち、図５に示すように、インフレータブルボールライナーの外側に生ゴムを貼り付け、更に少なくとも一つのグリップカバーリング２２の当該形状に基づき生ゴムを貼り付け、両者の接触面を粘着剤で結合したあと、金型の中に入れて加硫成形し、弾力性をもたせ、抗して、形成したグリップ２１部分の内部にグリップ２１を囲むようにグリップカバーリング２２を埋め込んだ構成とする。